(57)【要約】【課題】グループ行動における利用を促進することができる運動情報測定装置を提供する。【解決手段】運動情報測定装置１０は、装着者の運動による移動ペースを測定する移動ペース測定部２０と、装着者の運動による移動ペースを測定する機能を有する他装置と近距離無線通信を行うための通信部３と、他装置で測定された移動ペースを通信部３を介して取得する情報取得部２２と、情報取得部２２により取得された移動ペースに基づき、他装置の装着者の移動ペースを管理するための管理用情報を出力する管理用情報出力部２３と、を備える。【選択図】図３
2016106765.tif 000002
【特許請求の範囲】
【請求項１】
装着者の運動による移動ペースを測定する移動ペース測定部と、
装着者の運動による移動ペースを測定する機能を有する他装置と近距離無線通信を行うための通信部と、
前記他装置で測定された移動ペースを、前記通信部を介して取得する情報取得部と、
前記情報取得部により取得された移動ペースに基づき、前記他装置の装着者の移動ペースを管理するための管理用情報を出力する管理用情報出力部と、を備える運動情報測定装置。
【請求項２】
請求項１記載の運動情報測定装置であって、
表示部を更に備え、
前記管理用情報出力部は、前記情報取得部により取得された移動ペースを表示するための情報を前記管理用情報として前記表示部に出力する運動情報測定装置。
【請求項３】
請求項１又は２記載の運動情報測定装置であって、
前記管理用情報出力部は、前記情報取得部により取得された移動ペースが予め設定された条件を満たしている他装置に、当該他装置の装着者に移動ペースを変えるよう促すことを指示する情報を前記管理用情報として出力する運動情報測定装置。
【請求項４】
請求項１記載の運動情報測定装置であって、
装着者の運動負荷を示す生体情報を測定する生体情報測定部を更に備え、
前記情報取得部は、前記他装置が有する生体情報測定部により測定された生体情報を、前記通信部を介して更に取得し、
前記管理用情報出力部は、前記情報取得部により取得された移動ペースと生体情報に基づいて、前記管理用情報を出力する運動情報測定装置。
【請求項５】
請求項４記載の運動情報測定装置であって、
表示部を更に備え、
前記管理用情報出力部は、前記情報取得部により取得された移動ペースと生体情報を表示するための情報を前記管理用情報として前記表示部に出力する運動情報測定装置。
【請求項６】
請求項４又は５記載の運動情報測定装置であって、
前記管理用情報出力部は、前記情報取得部により取得された移動ペースと生体情報が所定条件を満たす他装置に対し、前記他装置の装着者に移動ペースを変えるよう促すことを指示する情報を前記管理用情報として出力する運動情報測定装置。
【請求項７】
運動情報測定装置による運動管理方法であって、
装着者の運動による移動ペースを測定する移動ペース測定ステップと、
装着者の運動による移動ペースを測定する機能を有する他装置と近距離無線通信を行うための通信部を介して、前記他装置で測定された移動ペースを取得する移動ペース取得ステップと、
前記取得した移動ペースに基づき、前記他装置の装着者の移動ペースを管理するための管理用情報を出力する情報出力ステップと、を備える運動管理方法。
【請求項８】
コンピュータに、請求項７記載の各ステップを実行させるためのプログラム。
【発明の詳細な説明】
【技術分野】
【０００１】
本発明は、運動情報測定装置、運動管理方法、及び運動管理プログラムに関する。
【背景技術】
【０００２】
近年、加速度センサ及び角速度センサ等の体の動きを検出する動き検出センサを用いることにより、活動量（歩数、歩行距離、消費カロリー等）及び運動による移動ペース（歩行速度、走行速度等）等の運動情報を測定することのできる運動情報測定装置の開発が盛んである。
【０００３】
こういった運動情報測定装置には、近距離無線通信機能を有するものが知られており、この機能を利用することで、様々なサービスが提供可能である。
【０００４】
例えば、特許文献１には、歩行のピッチに依存する情報である活動強度を歩数計同士で直接交換して、活動強度の比較により、歩行相性を判定する歩数計が開示されている。
【先行技術文献】
【特許文献】
【０００５】
【特許文献１】特開２０１１−９０４２６号公報
【発明の概要】
【発明が解決しようとする課題】
【０００６】
特許文献１によれば、複数ユーザの運動情報を利用することで、これまでにないサービスをユーザに提供することが可能である。今後、運動情報測定装置の利用促進を図るべく、運動情報測定装置で測定された運動情報を利用した様々なアプリケーションの提供が必要になってくる。
【０００７】
本発明は、上記事情に鑑みてなされたものであり、複数ユーザの運動情報測定装置で測定された運動情報を用いた処理を行うことで、特にグループ行動時における利用を促進することができる運動情報測定装置、運動管理方法、及び運動管理プログラムを提供することを目的とする。
【課題を解決するための手段】
【０００８】
本発明の運動情報測定装置は、装着者の運動による移動ペースを測定する移動ペース測定部と、装着者の運動による移動ペースを測定する機能を有する他装置と近距離無線通信を行うための通信部と、前記他装置で測定された移動ペースを、前記通信部を介して取得する情報取得部と、前記情報取得部により取得された移動ペースに基づき、前記他装置の装着者の移動ペースを管理するための管理用情報を出力する管理用情報出力部と、を備えるものである。
【０００９】
本発明の運動管理方法は、運動情報測定装置による運動管理方法であって、装着者の運動による移動ペースを測定する移動ペース測定ステップと、装着者の運動による移動ペースを測定する機能を有する他装置と近距離無線通信を行うための通信部を介して、前記他装置で測定された移動ペースを取得する移動ペース取得ステップと、前記取得した移動ペースに基づき、前記他装置の装着者の移動ペースを管理するための管理用情報を出力する情報出力ステップと、を備えるものである。
【００１０】
本発明の運動管理プログラムは、コンピュータに、前記運動管理方法の各ステップを実行させるためのプログラムである。
【発明の効果】
【００１１】
本発明によれば、複数ユーザの運動情報測定装置で測定された運動情報を用いた処理を行うことで、特にグループ行動時における利用を促進することができる運動情報測定装置、運動管理方法、運動管理プログラムを提供することができる。
【図面の簡単な説明】
【００１２】
【図１】本発明の一実施形態を説明するためのシステム１００の概略構成を示す図である。
【図２】図１の運動情報測定装置１０のハードウェアの構成例を示すブロック図である。
【図３】図２の運動情報測定装置１０の記憶部５に記憶されたプログラムをプロセッサが実行することにより制御部２によって実現される機能ブロックを示す図である。
【図４】システム１００における運動情報測定装置１０の動作を説明するためのフローチャートである。
【図５】マスター機として設定された運動情報測定装置１０の表示部６に表示される画面例を示す図である。
【図６】スレーブ機として設定された運動情報測定装置１０の表示部６に表示される画面例を示す図である。
【図７】図４の動作の変形例を示すフローチャートである。
【図８】図２の運動情報測定装置１０の内部構成の変形例を示す図である。
【図９】図８の運動情報測定装置１０の動作を説明するためのフローチャートである。
【図１０】マスター機として設定された図８の運動情報測定装置１０の表示部６に表示される画面例を示す図である。
【図１１】スレーブ機として設定された図８の運動情報測定装置１０の表示部６に表示される画面例を示す図である。
【図１２】図８の運動情報測定装置１０の動作の変形例を説明するためのフローチャートである。
【発明を実施するための形態】
【００１３】
以下、本発明の実施形態について図面を参照して説明する。なお、以下の説明および添付図面において、略同一の機能構成を有する構成要素については、同一の符号を付することにより重複説明を省略することにする。
【００１４】
図１は、本発明の一実施形態を説明するためのシステム１００の概略構成を示す図である。システム１００は、複数（図１の例では６つ）の運動情報測定装置１０−１〜１０−６を備える。運動情報測定装置１０−１〜１０−６は、利用者（ユーザ）の体に装着されて使用されるものであり、具体例としては歩数計や活動量計やスポーツウォッチ等である。
【００１５】
本実施形態においては、例えば、一周４００ｍ程度のトラックがある陸上競技場において、ユーザＡ〜Ｆの６人からなるグループで、ランニングを行うケースを想定している。
【００１６】
このケースでは、グループを構成するユーザＡ、ユーザＢ、・・・ユーザＦが運動情報測定装置１０−１、１０−２・・・１０−６をそれぞれ装着する。そして、ユーザＡ〜Ｆのいずれかをグループのリーダーとして設定し、このリーダーが、グループの各メンバーの移動ペースを管理する。
【００１７】
なお、説明をわかりやすくするため、ユーザＡ（例えば、先生）がグループリーダとされる。ユーザＡの装着する運動情報測定装置１０−１は、ユーザＡの操作によりマスター機として予め設定される。また、ユーザＢ〜ユーザＦ（生徒）がそれぞれ装着する運動情報測定装置１０−２〜１０−６は、各ユーザの操作によりスレーブ機として設定される。これにより、ユーザＡ（先生）は、メンバー（生徒達）の運動による移動ペースを管理することが可能となる。
【００１８】
以下、運動情報測定装置１０−１〜１０−６を個々に区別する必要がない場合、単に運動情報測定装置１０と記載する。
【００１９】
図２は、運動情報測定装置１０の構成例を示すブロック図である。
【００２０】
運動情報測定装置１０は、体動検出部１と、全体を統括制御する制御部２と、通信部３と、操作部４と、フラッシュメモリやＲＯＭ（Ｒｅａｄ  Ｏｎｌｙ  Ｍｅｍｏｒｙ）等の記憶媒体を含む記憶部５と、各種情報を表示するための表示部６と、を備える。
【００２１】
体動検出部１は、運動情報測定装置１０が装着（衣服のポケットに入れた状態も含む）されたユーザの体の部位の動きに応じた情報（加速度、角速度等）を検出する。体動検出部１は、加速度センサ、角速度センサ、及び地磁気センサ等の各種センサと、各種センサから出力された信号を処理する信号処理部とを含む。体動検出部１は、少なくとも１つのモーションセンサとこのモーションセンサからの信号を処理する信号処理部を含んでいればよい。
【００２２】
制御部２は、記憶部５のＲＯＭに記憶されたプログラムを実行するプロセッサを主体に構成される。
【００２３】
通信部３は、他の運動情報測定装置１０（以下、他装置１０ともいう）を含む電子機器と近距離無線通信を行うためのインターフェースである。近距離無線通信とは、インターネット等のネットワークを介さずに機器間で直接通信を行える通信規格に準拠した通信のことを言う。このインターフェースとしては、ＡＮＴに準拠した通信インターフェース、ブルートゥース（登録商標）に準拠した通信インターフェース等が用いられる。
【００２４】
操作部４は、制御部２に各種指示を入力するためのデバイスであり、ボタンや表示部６に搭載されたタッチパネル等により構成される。
【００２５】
記憶部５は、体動検出部１によって検出された検出情報を記憶したり、通信部３を介して受信した情報を記憶したり、運動情報測定装置１０の動作に必要な情報を記憶したりする。
【００２６】
図３は、図２の運動情報測定装置１０の記憶部５に記憶されたプログラムをプロセッサが実行することにより制御部２によって実現される機能ブロックを示す図である。
【００２７】
図３に示すように、制御部２は、移動ペース測定部２０と、情報送信部２１と、情報取得部２２と、管理用情報出力部２３と、を備える。
【００２８】
移動ペース測定部２０は、体動検出部１により検出される検出情報に基づいて自装置の装着者の移動ペースを測定する。
【００２９】
例えば、移動ペース測定部２０は、検出情報に基づいて検出した所定期間での歩数と、予め設定されている歩幅との積から、所定期間における移動距離を算出する。移動ペース測定部２０は、この所定期間と移動距離を用いることで、単位距離（例えば１ｋｍ）の移動に要する時間を移動ペースとして測定する。
【００３０】
なお、体動検出部１とは別にＧＰＳ（Ｇｌｏｂａｌ  Ｐｏｓｉｔｉｏｎｉｎｇ  Ｓｙｓｔｅｍ）受信機を運動情報測定装置１０に搭載しておき、移動ペース測定部２０は、このＧＰＳ受信機で検出される信号に基づいて移動ペースの測定を行ってもよい。
【００３１】
情報送信部２１は、移動ペース測定部２０で測定された移動ペース及び自装置の識別情報（ＩＤ）を、マスター機として設定された運動情報測定装置１０に通信部３から送信させる。情報送信部２１は、自装置がマスター機として設定されている場合には、この処理を行わない。
【００３２】
情報取得部２２は、スレーブ機として設定された他装置１０から送信されて通信部３で受信されたＩＤ及び移動ペースを取得し、取得した情報を記憶部５に記憶する。
【００３３】
また、情報取得部２２は、自装置の移動ペース測定部２０により測定された移動ペースを取得し、これを自装置のＩＤと対応付けて記憶部５に記憶する。
【００３４】
これにより、マスター機として設定された運動情報測定装置１０の記憶部５には、運動情報測定装置１０−１〜１０−６のＩＤ毎に、移動ペースの情報が記憶される。
【００３５】
管理用情報出力部２３は、運動情報測定装置１０がマスター機として設定された場合に機能する。管理用情報出力部２３は、記憶部５に記憶された他装置１０（スレーブ機）毎の移動ペースに基づき、他装置１０の装着者の移動ペースを管理するための管理用情報を出力する。
【００３６】
以上のように構成されたシステム１００の動作を説明する。
【００３７】
図４は、システム１００における運動情報測定装置１０の動作を説明するためのフローチャートである。図４では、マスター機となる運動情報測定装置１０−１と、１つのスレーブ機（以下では運動情報測定装置１０−２とする）の動作を示しており、運動情報測定装置１０−１と各スレーブ機の間で、図４に示した動作が行われる。
【００３８】
まず、グループ行動を行うユーザＡ〜ユーザＦは、それぞれ、運動情報測定装置１０−１〜１０−６を装着する。ユーザＡが自身に装着した運動情報測定装置１０−１の操作部４を操作してマスター機の設定指示を行うと、運動情報測定装置１０−１の制御部２は、自装置をマスター機に設定する（ステップＳ１）。
【００３９】
マスター機の設定がなされると、運動情報測定装置１０−１の制御部２は、通信部３の受信用の通信チャネルを全てオープンにして（ステップＳ２）、スレーブ機からの情報受信待機状態となる。
【００４０】
ステップＳ２の後、運動情報測定装置１０−１の制御部２は、目標とする移動ペース（以下、目標ペースという）の入力を装着者に促す制御を行う。そして、装着者によって目標ペースが入力されると、入力された目標ペースを記憶部５に記憶する（ステップＳ２ａ）。
【００４１】
一方、ユーザＢ〜ユーザＦが運動情報測定装置１０−２〜１０−６の操作部４を操作してスレーブ機の設定指示を行うと、運動情報測定装置１０−２〜１０−６の制御部２が、自装置をスレーブ機に設定する（ステップＳ３）。
【００４２】
スレーブ機の設定がなされると、スレーブ機の運動情報測定装置１０の制御部２は、通信部３の送信用の通信チャネルをオープンにして（ステップＳ４）、他の運動情報測定装置１０と通信可能な状態に移行する。
【００４３】
この状態で、運動情報測定装置１０−１の通信部３の通信可能範囲に運動情報測定装置１０−２があると、運動情報測定装置１０−２の移動ペース測定部２０で測定された移動ペースと運動情報測定装置１０−２のＩＤが、運動情報測定装置１０−１に送信されて、運動情報測定装置１０−１にて受信される（ステップＳ６）。
【００４４】
運動情報測定装置１０−２は、運動情報測定装置１０−１の通信部３の通信可能範囲にあるとき、移動ペース及びＩＤを定期的に運動情報測定装置１０−１に送信する。
【００４５】
運動情報測定装置１０−１では、通信部３で受信された移動ペース及びＩＤを制御部２が取得する（ステップＳ７）。そして、制御部２は、取得したＩＤに、取得した移動ペースを関連付けて記憶部５に記憶する（ステップＳ８）。
【００４６】
運動情報測定装置１０−１の制御部２は、記憶部５に記憶されている他装置１０のＩＤ毎の移動ペースを読み出し、この移動ペースを表示するための情報を管理用情報として表示部６に出力する。表示部６は、この管理用情報に基づいて、他装置１０のＩＤ毎に移動ペースを表示する（ステップＳ９）。
【００４７】
図５は、マスター機として設定された運動情報測定装置１０−１の表示部６に表示される画面の一例を示す図である。
【００４８】
図５に示すように、表示部６には、運動情報測定装置１０−２を示すアイコン５２が表示されている。アイコン５２内には、運動情報測定装置１０−２のＩＤが表示されている。アイコン５２の下には、運動情報測定装置１０−２から取得した移動ペース（４ｍｉｎ／ｋｍ）が表示されている。
【００４９】
また、表示部６には、運動情報測定装置１０−３を示すアイコン５３が表示されている。アイコン５３内には、運動情報測定装置１０−３のＩＤが表示されている。アイコン５３の下には、運動情報測定装置１０−３から取得した移動ペース（４ｍｉｎ／ｋｍ）が表示されている。
【００５０】
また、表示部６には、運動情報測定装置１０−４を示すアイコン５４が表示されている。アイコン５４内には、運動情報測定装置１０−４のＩＤが表示されている。アイコン５４の下には、運動情報測定装置１０−４から取得した移動ペース（５ｍｉｎ／ｋｍ）が表示されている。
【００５１】
また、表示部６には、運動情報測定装置１０−５を示すアイコン５５が表示されている。アイコン５５内には、運動情報測定装置１０−５のＩＤが表示されている。アイコン５５の下には、運動情報測定装置１０−５から取得した移動ペース（５ｍｉｎ／ｋｍ）が表示されている。
【００５２】
また、表示部６には、運動情報測定装置１０−６を示すアイコン５６が表示されている。アイコン５６内には、運動情報測定装置１０−６のＩＤが表示されている。アイコン５６の下には、運動情報測定装置１０−６から取得した移動ペース（８ｍｉｎ／ｋｍ）が表示されている。
【００５３】
運動情報測定装置１０−１の装着者は、図５に示す画面を見ることで、どのユーザがどのような移動ペースで運動しているかを把握することができる。
【００５４】
運動情報測定装置１０−１の装着者が、操作部４を操作し、図５の画面に表示されたアイコンの中から任意のアイコンを選択すると（ステップＳ１０：ＹＥＳ）、制御部２がステップＳ１１の処理を行う。アイコンが特に選択されない場合（ステップＳ１０：ＮＯ）は、ステップＳ７に処理が戻る。
【００５５】
ステップＳ１１において、制御部２は、選択されたアイコンに対応する移動ペースが予め設定された条件を満たすか否かを判定する。この条件を満たす場合とは、例えば、移動ペースと目標ペースの差が閾値以上の場合である。
【００５６】
ステップＳ１１の判定がＹＥＳのとき、制御部２は、選択されたアイコンで示される他装置１０に対し、移動ペースを変化させるよう促すことを指示する指示情報を管理用情報として出力する。つまり、制御部２は、通信部３を介して、指示情報をこの他装置１０に送信する（ステップＳ１２）。
【００５７】
ステップＳ１２において、例えば、制御部２は、移動ペースが目標ペースよりも速い場合には、移動ペースを遅くするよう促すことを指示する指示情報を送信し、移動ペースが目標ペースよりも遅い場合には、移動ペースを速くするよう促すことを指示する指示情報を送信する。
【００５８】
指示情報を受信した他装置１０では、制御部２が、この指示情報を取得し、取得した指示情報に対応するメッセージデータを記憶部５から読み出し、読みだしたメッセージデータに基づくメッセージを表示部６に表示させる。例えば、この他装置１０の表示部６には、図６に示したような画面が表示される。
【００５９】
以上のように、システム１００によれば、マスター機として設定された運動情報測定装置１０−１の表示部６において、スレーブ機として設定された各他装置１０の装着者の移動ペースを確認することができる。このため、表示部６に表示される移動ペースの一覧を用いて、例えば移動ペースが目標ペースに対して遅れているユーザに移動ペースを速めるよう声をかけて指示する等の移動ペースの管理が可能となる。
【００６０】
また、システム１００では、マスター機の表示部６に表示されたアイコン５２〜５６を選択することで、選択したアイコンに対応する他装置１０に指示情報を送信することが可能となる。そして、この他装置１０の表示部６には、この指示情報にしたがって装着者に移動ペースを変えるよう促す情報が表示される。このため、マスター機の装着者は、自装置から離れている他装置１０の装着者に対しても容易に指示を行うことが可能となり、効率的な管理が可能となる。
【００６１】
また、システム１００では、近距離無線通信が可能な運動情報測定装置のいずれかをマスター機として設定し、このマスター機により、スレーブ機として設定された運動情報測定装置の装着者の管理が可能である。このため、マスター機の装着者が、近くにいるメンバーと運動しながら、自分以外のメンバーの移動ペースの管理をリアルタイムで行うことができる。どの運動情報測定装置もマスター機になりえるため、使い方が限定されることはなく、運動情報測定装置の利用シーンを増やして、運動情報測定装置の利用促進を図ることができる。
【００６２】
図４の説明では、表示部６に表示されたアイコンを選択することで、そのアイコンに対応する他装置１０に指示情報を送信できる構成としたが、この指示情報の送信は自動化してもよい。
【００６３】
図７は、図１に示すシステム１００の動作の変形例を示すフローチャートである。図７において図４と同一処理には同一符号を付して説明を省略する。
【００６４】
ステップＳ９の後、制御部２の管理用情報出力部２３は、表示中の移動ペースの中で、目標ペースとの差が閾値以上となるもの（予め設定された条件を満たすもの）があるか否かを判定する（ステップＳ１０ａ）。
【００６５】
ステップＳ１０ａの判定がＮＯであればステップＳ７に処理が戻る。ステップＳ１０ａの判定がＹＥＳのとき、制御部２の管理用情報出力部２３は、目標ペースとの差が閾値以上となる移動ペースに対応するＩＤで示される他装置１０に、移動ペースを変えるよう促すことを指示する指示情報を送信する（ステップＳ１２ａ）。この指示情報を受信した他装置１０では、表示部６に図６に例示したメッセージが表示される。ステップＳ１２ａの後は、ステップＳ７に処理が戻る。
【００６６】
ステップＳ１２ａで送信される指示情報は、移動ペースが目標ペースよりも速ければ、移動ペースを遅くするよう促すことを指示する情報となり、移動ペースが目標ペースよりも遅ければ、移動ペースを速くするよう促すことを指示する情報となる。
【００６７】
以上のように、この変形例によれば、マスター機の装着者がアイコンを選択する操作を行わずとも、指示情報の送信が自動的に行われるため、グループメンバーの移動ペースの管理をより簡単に行うことができる。
【００６８】
なお、ステップＳ２ａで設定した目標ペースは、任意のタイミングで変更できるようにしてもよい。これにより、インターバル走等にも対応することができ、装置の使用シーンを増やすことができる。
【００６９】
また、この変形例では、マスター機から他装置１０に指示情報が自動で送信されるため、他装置１０を示すアイコンと移動ペースをマスター機の表示部６で表示させる処理は必須ではない。
【００７０】
図４と図７の動作において、マスター機から他装置１０に指示情報が送信された場合に、その送信履歴（指示情報の送信日時の情報）をマスター機の記憶部５に記憶しておき、後で読み出せるようにしておくとよい。このようにすることで、例えば、移動ペースの改善指摘が多いメンバーを後で把握することが可能となり、メンバー能力の評価等が可能となる。
【００７１】
図８は、図２に示した動作情報測定装置１０の内部構成の変形例を示す図である。図８に示す運動情報測定装置１０は、脈拍センサ７を追加した点を除いては、図２に示したものと同じ構成である。
【００７２】
脈拍センサ７は、動作情報測定装置１０の装着者の脈拍数を検出して制御部２に通知するものであり、周知のセンサが用いられる。
【００７３】
図８に示す動作情報測定装置１０の制御部２がプログラムを実行することで発現される機能ブロックは、図３に示したものと同じであるが、移動ペース測定部２０を除く各機能ブロックの機能が若干異なる。
【００７４】
情報送信部２１は、移動ペース測定部２０で測定された移動ペース及び自装置の識別情報（ＩＤ）と、脈拍センサ７で測定された脈拍数を、マスター機として設定された運動情報測定装置１０に通信部３から送信させる。情報送信部２１は、自装置がマスター機として設定されている場合には、この処理を行わない。
【００７５】
情報取得部２２は、スレーブ機として設定された他装置１０から送信されて通信部３で受信されたＩＤ、移動ペース、及び脈拍数を取得し、取得した情報を記憶部５に記憶する。
【００７６】
また、情報取得部２２は、自装置の移動ペース測定部２０により測定された移動ペースと、自装置の脈拍センサ７により測定された脈拍数を取得し、これらを自装置のＩＤと対応付けて記憶部５に記憶する。
【００７７】
これにより、マスター機として設定された運動情報測定装置１０の記憶部５には、運動情報測定装置１０−１〜１０−６のＩＤ毎に、移動ペースと脈拍数の情報が記憶される。
【００７８】
管理用情報出力部２３は、運動情報測定装置１０がマスター機として設定された場合に機能する。管理用情報出力部２３は、記憶部５に記憶された他装置１０（スレーブ機）毎の移動ペース及び脈拍数に基づき、他装置１０の装着者の移動ペースを管理するための管理用情報を出力する。
【００７９】
図９は、図８に示す運動情報測定装置１０を複数有するシステムの動作を説明するためのフローチャートである。図９において図４と同一処理には同一符号を付して説明を省略する。
【００８０】
ステップＳ２の後、運動情報測定装置１０−１の制御部２は、目標ペースと脈拍の閾値の入力を装着者に促す制御を行う。そして、装着者によって目標ペースと閾値が入力されると、入力された目標ペース及び閾値を記憶部５に記憶する（ステップＳ２Ａ）。
【００８１】
スレーブ機として設定された運動情報測定装置１０−２では、ステップＳ４の後、移動ペース測定部２０により移動ペースが測定され、脈拍センサ７により脈拍数が測定される（ステップＳ５ａ）。そして、制御部２は測定された移動ペース及び脈拍数を、自装置のＩＤと共に、マスター機として設定された運動情報測定装置１０−１に送信する（ステップＳ６ａ）。
【００８２】
運動情報測定装置１０−２は、運動情報測定装置１０−１の通信部３の通信可能範囲にあるとき、移動ペース、脈拍数、及びＩＤを定期的に運動情報測定装置１０−１に送信する。
【００８３】
運動情報測定装置１０−１では、通信部３で受信された移動ペース、脈拍数、及びＩＤを制御部２が取得する（ステップＳ７ａ）。そして、制御部２は、取得したＩＤに、取得した移動ペースと脈拍数を関連付けて記憶部５に記憶する（ステップＳ８ａ）。
【００８４】
運動情報測定装置１０−１の制御部２は、記憶部５に記憶されている他装置１０のＩＤ毎の移動ペース及び脈拍数を読み出し、この移動ペース及び脈拍数を表示するための情報を管理用情報として表示部６に出力する。表示部６は、この管理用情報に基づいて、他装置１０のＩＤ毎に移動ペースと脈拍数を表示する（ステップＳ９ａ）。
【００８５】
図１０は、マスター機として設定された運動情報測定装置１０−１の表示部６に表示される画面の一例を示す図である。各アイコン５２〜５６とその下に表示される移動ペースについては、図５と同じである。
【００８６】
ただし、図１０の例では、各アイコンに、脈拍数の大きさに応じたハッチングが付されている。このハッチングは、脈拍数が大きいほど、斜線の間隔が狭くなっている。
【００８７】
図１０の例では、脈拍数が第一の閾値未満となる運動情報測定装置１０を示すアイコン５４〜５６は、ハッチングなしとなっている。また、脈拍数が第一の閾値以上第二の閾値未満となる運動情報測定装置１０を示すアイコン５３は、斜線密度の小さいハッチングが付されたものとなっている。また、脈拍数が第二の閾値以上となる運動情報測定装置１０を示すアイコン５２は、斜線密度の大きいハッチングが付されたものとなっている。なお、第一の閾値と第二の閾値は、ステップＳ２Ａにおいて入力されて記憶された情報である。
【００８８】
運動情報測定装置１０−１の装着者は、図１０に示す画面を見ることで、どのユーザがどのような移動ペースで運動しているか、また、どのような負荷で運動しているのかを把握することができる。
【００８９】
運動情報測定装置１０−１の装着者が、操作部４を操作し、図１０の画面に表示されたアイコンの中から１つのアイコンを選択すると（ステップＳ１０：ＹＥＳ）、制御部２がステップＳ１１ａの処理を行う。アイコンが特に選択されない場合（ステップＳ１０：ＮＯ）は、ステップＳ７ａに処理が戻る。
【００９０】
ステップＳ１１ａにおいて、制御部２の管理用情報出力部２３は、選択されたアイコンに対応する移動ペース及び脈拍数に基づいて、選択されたアイコンで示される他装置１０に対し、移動ペースを変化させるよう促すことを指示する指示情報を管理用情報として出力するべきか否かを判定する。
【００９１】
例えば、管理用情報出力部２３は、選択されたアイコンに対応する移動ペースが目標ペースよりも閾値以上遅い場合には、そのアイコンに対応する脈拍数が第二の閾値以上となっていれば、負荷軽減を考慮して移動ペースを下げるよう促すことを指示する指示情報を送信すべきと判定し、そのアイコンに対応する脈拍数が第二の閾値未満となっていれば、移動ペースを上げるよう促すことを指示する指示情報を送信すべきと判定する。
【００９２】
また、管理用情報出力部２３は、選択されたアイコンに対応する移動ペースが目標ペースよりも閾値以上速い場合には、移動ペースを下げるよう促すことを指示する指示情報を送信すべきと判定する。
【００９３】
また、管理用情報出力部２３は、選択されたアイコンに対応する移動ペースと目標ペースの差が閾値未満である場合でも、そのアイコンに対応する脈拍数が第二の閾値以上になっている場合には、移動ペースを下げるよう促すことを指示する指示情報を送信すべきと判定する。
【００９４】
ステップＳ１１ａの判定がＹＥＳのとき、管理用情報出力部２３は、選択されたアイコンで示される他装置１０に対し移動ペースを変化させるよう促すことを指示する指示情報を管理用情報として出力する。つまり、制御部２は、指示情報を他装置１０に通信部３を介して送信する（ステップＳ１２）。
【００９５】
指示情報を受信した他装置１０では、制御部２が、この指示情報を取得し、取得した指示情報に対応するメッセージデータを記憶部５から読み出し、読みだしたメッセージデータに基づくメッセージを表示部６に表示させる。例えば、この他装置１０の表示部６には、図１１に示したような画面が表示される。
【００９６】
以上のように、図８に示す運動情報測定装置１０を複数有するシステムによれば、マスター機として設定された運動情報測定装置１０−１の表示部６において、スレーブ機として設定された他装置１０の装着者の移動ペース及び脈拍数を確認することができる。このため、表示部６に表示される移動ペース及び脈拍数の一覧を用いて、例えば移動ペースが遅いユーザに、脈拍数に応じた指示を行う等の移動ペースの管理が可能となる。
【００９７】
このように、移動ペースの大きさだけでなく、脈拍数も考慮して指示情報を他装置１０に送信することで、柔軟な管理が可能となる。
【００９８】
なお、以上の説明では、図１０に例示する画面上で選択されたアイコンに対応する運動情報測定装置１０に指示情報が送信される構成としたが、指示情報の送信は自動化してもよい。
【００９９】
図１２は、図９に示す動作の変形例を説明するためのフローチャートである。図１２において図９と同一処理には同一符号を付して説明を省略する。
【０１００】
ステップＳ９ａの後、制御部２の管理用情報出力部２３は、表示中の各アイコンに対応する移動ペース及び脈拍数に基づいて、移動ペースを変化させるよう促すことを指示する指示情報を送信すべき他装置１０があるか否かを判定する（ステップＳ１１Ａ）。
【０１０１】
例えば、制御部２の管理用情報出力部２３は、移動ペースが目標ペースよりも閾値以上遅いアイコンがあった場合、移動ペースが目標ペースよりも閾値以上速いアイコンがあった場合、又は、移動ペースと目標ペースの差が閾値未満でありかつ脈拍数が第二の閾値以上になっているアイコンがあった場合には、指示情報を送信すべき他装置１０があると判定する。
【０１０２】
ステップＳ１１Ａの判定がＹＥＳのとき、制御部１２の管理用情報出力部２３は、該当する他装置１０に、その他装置１０の移動ペース及び脈拍数に応じた指示情報を送信する（ステップＳ１２ａ）。ステップＳ１１Ａの判定がＮＯのときはステップＳ７ａに処理が戻る。
【０１０３】
以上のように、指示情報が自動的に他装置１０に送信されることで、マスター機の装着者が特別な操作を行うことなく、メンバーの移動ペースの管理が可能となる。
【０１０４】
なお、図８の脈拍センサ７は、装置の装着者の運動負荷を示す生体情報を測定する生体情報測定部として機能するものであればよく、例えば心拍センサであってもよい。
【０１０５】
コンピュータに、図４，７，９，１２に示したフローチャートの各ステップを実行させるためのプログラム、又は、コンピュータを図３の各機能ブロックとして機能させるためのプログラムは、当該プログラムをコンピュータが読取可能な一時的でない（ｎｏｎ−ｔｒａｎｓｉｔｏｒｙ）記録媒体に記録されて提供可能である。
【０１０６】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【０１０７】
以上の説明では、マスター機とスレーブ機の設定を各運動情報測定装置１０で行うようにしたが、グループ作成の方法はこれに限らず、周知の方法を採用できる。例えば、マスター機として設定した運動情報測定装置１０の通信可能範囲にある他装置１０の一覧を、マスター機の表示部６に表示させ、マスター機の装着者が、表示された他装置１０の中からメンバーにしたい装置を選択することで、選択された他装置１０がスレーブ機と設定されるようにしてもよい。
【０１０８】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１０９】
以上説明してきたように、本明細書には以下の事項が開示されている。
【０１１０】
開示された運動情報測定装置は、装着者の運動による移動ペースを測定する移動ペース測定部と、装着者の運動による移動ペースを測定する機能を有する他装置と近距離無線通信を行うための通信部と、前記他装置で測定された移動ペースを、前記通信部を介して取得する情報取得部と、前記情報取得部により取得された移動ペースに基づき、前記他装置の装着者の移動ペースを管理するための管理用情報を出力する管理用情報出力部と、を備えるものである。
【０１１１】
開示された運動情報測定装置は、表示部を更に備え、前記管理用情報出力部は、前記情報取得部により取得された移動ペースを表示するための情報を前記管理用情報として前記表示部に出力するものである。
【０１１２】
開示された運動情報測定装置は、前記管理用情報出力部は、前記情報取得部により取得された移動ペースと予め設定された条件を満たしている他装置に、当該他装置の装着者に移動ペースを変えるよう促すことを指示する情報を前記管理用情報として出力するものである。
【０１１３】
開示された運動情報測定装置は、装着者の運動負荷を示す生体情報を測定する生体情報測定部を更に備え、前記情報取得部は、前記他装置が有する生体情報測定部により測定された生体情報を、前記通信部を介して更に取得し、前記管理用情報出力部は、前記情報取得部により取得された移動ペースと生体情報に基づいて、前記管理用情報を出力するものである。
【０１１４】
開示された運動情報測定装置は、表示部を更に備え、前記管理用情報出力部は、前記情報取得部により取得された移動ペースと生体情報を表示するための情報を前記管理用情報として前記表示部に出力するものである。
【０１１５】
開示された運動情報測定装置は、前記管理用情報出力部は、前記情報取得部により取得された移動ペースと生体情報が所定条件を満たす他装置に対し、前記他装置の装着者に移動ペースを変えるよう促すことを指示する情報を前記管理用情報として出力するものである。
【０１１６】
開示された運動管理方法は、運動情報測定装置による運動管理方法であって、装着者の運動による移動ペースを測定する移動ペース測定ステップと、装着者の運動による移動ペースを測定する機能を有する他装置と近距離無線通信を行うための通信部を介して、前記他装置で測定された移動ペースを取得する移動ペース取得ステップと、前記取得した移動ペースに基づき、前記他装置の装着者の移動ペースを管理するための管理用情報を出力する情報出力ステップと、を備えるものである。
【０１１７】
開示された運動管理プログラムは、コンピュータに、前記運動管理方法の各ステップを実行させるためのプログラムである。
【符号の説明】
【０１１８】
２  制御部
３  通信部
６  表示部
１０，１０−１〜１０−６  運動情報測定装置
２０  移動ペース測定部
２２  情報取得部
２３  管理用情報出力部
【図１】
2016106765.tif 000003
【図２】
2016106765.tif 000004
【図３】
2016106765.tif 000005
【図４】
2016106765.tif 000006
【図５】
2016106765.tif 000007
【図６】
2016106765.tif 000008
【図７】
2016106765.tif 000009
【図８】
2016106765.tif 000010
【図９】
2016106765.tif 000011
【図１０】
2016106765.tif 000012
【図１１】
2016106765.tif 000013
【図１２】
2016106765.tif 000014